(57)【要約】【課題】使い勝手の良好な装飾品用操作具を提供する。【解決手段】装飾品用操作具１Ａは、所定方向に延びる本体２と、本体２に移動可能に支持される可動部材３と、可動部材３を移動させるための操作部３２とを備えている。本体２には、引き輪の連結部を係止するための係止部２３が設けられており、可動部材３には、引き輪の摘み部に係合可能な係合部３１が設けられている。可動部材３は、係合部３１が係止部２３に近づく方向に移動できるように本体２に支持されており、操作部３２は、本体２の後面２ｂから突出している。【選択図】図２
2008289845.tif 000002
【特許請求の範囲】
【請求項１】
鎖状部材が連結された連結部に向って摘み部が引かれることにより引き輪本体の開口が開かれる引き輪を有する装飾品用の操作具であって、
所定方向に延び、使用者によって握られる本体であって前記連結部を係止するための係止部を有する本体と、
前記係止部との間に前記摘み部および前記連結部が挿入可能な挿入空間を形成する、前記摘み部に係合可能な係合部を有し、この係合部が前記挿入空間を形成する位置から前記係止部に近づく方向に移動できるように前記本体に移動可能に支持される可動部材と、
前記可動部材を移動させるための操作部であって前記本体の表面から突出する操作部と、
を備える装飾品用操作具。
【請求項２】
前記可動部材を、前記係合部が前記係止部から遠ざかる方向に付勢する付勢手段をさらに備える請求項１に記載の装飾品用操作具。
【請求項３】
鎖状部材が連結された連結部に向って摘み部が引かれることにより引き輪本体の開口が開かれる引き輪を有する装飾品用の操作具であって、
所定方向に延び、使用者によって握られる本体であって前記摘み部に係合可能な係合部を有する本体と、
前記係合部との間に前記摘み部および前記連結部が挿入可能な挿入空間を形成する、前記連結部を係止するための係止部を有し、この係止部が前記挿入空間を形成する位置から前記係合部に近づく方向に移動できるように前記本体に移動可能に支持される可動部材と、
前記可動部材を移動させるための操作部であって前記本体の表面から突出する操作部と、
を備える装飾品用操作具。
【請求項４】
前記可動部材を、前記係止部が前記係合部から遠ざかる方向に付勢する付勢手段をさらに備える請求項３に記載の装飾品用操作具。
【請求項５】
前記本体は、当該本体の長手方向に延びる収納空間を有しており、前記可動部材は、前記収納空間内に嵌め込まれることにより前記本体の長手方向に沿って移動可能となっている請求項１〜４のいずれか一項に記載の装飾品用操作具。
【請求項６】
前記収納空間を構成する壁面と前記可動部材との間には、前記可動部材が移動する間に前記係合部が前記引き輪本体の輪郭に沿った軌跡を描くことを許容する隙間が形成されている請求項５に記載の装飾品用操作具。
【請求項７】
前記係合部は、鉤状をなしている請求項１〜６のいずれか一項に記載の装飾品用操作具。
【請求項８】
前記係止部には、前記引き輪本体が嵌め込まれるとともに底面上に当該引き輪本体が載置される支持溝が設けられている請求項１〜７のいずれか一項に記載の装飾品用操作具。
【請求項９】
前記操作部は、前記可動部材に一体に設けられている請求項１〜８のいずれか一項に記載の装飾品用操作具。
【請求項１０】
前記操作部は、前記本体に揺動可能に取り付けられ、かつ、前記可動部材にリンク結合されたレバー部材で構成されている請求項１〜８のいずれか一項に記載の装飾品用操作具。
【発明の詳細な説明】
【技術分野】
【０００１】
本発明は、例えばネックレスなどの装飾品を身体に装着したり身体から取り外したりする際に使用する装飾品用操作具に関する。
【背景技術】
【０００２】
従来、例えば図７に示すようなチェーン９３の一端に引き輪９が連結され、他端に板ダルマ９６が連結された装飾品がある。引き輪９は、円形環の一部分が切断された形状をなす、開口９１ａを有する引き輪本体９１と、この引き輪本体９１内に周方向に移動可能に収容される、開口９１ａを開閉するための開閉部材９４と、この開閉部材９４を付勢して開口９１ａを閉じるばね（不図示）とを有している。引き輪本体９１には、チェーン９３が連結されるリング状の連結部９２が径方向外側に突出するように設けられており、可動部材９４には、同じく径方向外側に突出するように略円柱状の摘み部９５が設けられている。そして、連結部９２に向って摘み部９５が引かれると、開閉部材９４が移動して引き輪本体９１の開口９１ａが開かれて、その開口９１ａから板ダルマ９６を引き輪本体９に係合できるようになる。【０００３】
前記のような引き輪９を有する装飾品を身体に装着したり身体から取り外したりする際には、摘み部９５に爪を引っ掛けるのが一般的である。ところが、例えばつけ爪をした者がそのようにしようとすると、つけ爪が傷つくおそれがある。そこで、爪を傷つけずに装飾品の着脱をできるようにすることが望まれる。【０００４】
例えば、特開２０００−２４５５１７号公報には、爪を摘み部９５に引っ掛けなくても摘み部９５を連結部９２に向って引くことができるピンセット型の装飾品用操作具が開示されている。このピンセット型装飾品用操作具では、ピンセット本体の両先端部に針金で輪形状などの引っ掛け部が形成されていて、使用する際には、人差し指と親指でピンセット本体を摘んで弾性変形させながら、両引っ掛け部を摘み部９５と連結部９２に引っ掛けた後に互いに近づけるようにする。
【特許文献１】特開２０００−２４５５１７号公報
【発明の開示】
【発明が解決しようとする課題】
【０００５】
上記のピンセット型装飾品用操作具はピンセット本体を人差し指と親指で摘んで操作するものであるため、使用者はピンセット本体を人差し指と親指で押し縮めたままで引き輪本体に板ダルマを係合させる必要がある。しかしながら、このように人差し指と親指に力を入れて物を掴んでいる状態では、手首を返し難くなり、引き輪本体の開口に板ダルマをうまく通せずそれらの係合に苦労することがある。【０００６】
本発明は、このような事情に鑑み、使い勝手の良好な装飾品用操作具を提供することを目的とする。
【課題を解決するための手段】
【０００７】
前記目的を達成するために、本発明は、鎖状部材が連結された連結部に向って摘み部が引かれることにより引き輪本体の開口が開かれる引き輪を有する装飾品用の操作具であって、所定方向に延び、使用者によって握られる本体であって前記連結部を係止するための係止部を有する本体と、前記係止部との間に前記摘み部および前記連結部が挿入可能な挿入空間を形成する、前記摘み部に係合可能な係合部を有し、この係合部が前記挿入空間を形成する位置から前記係止部に近づく方向に移動できるように前記本体に移動可能に支持される可動部材と、前記可動部材を移動させるための操作部であって前記本体の表面から突出する操作部と、を備える装飾品用操作具を提供する。【０００８】
本発明は、別の側面から、鎖状部材が連結された連結部に向って摘み部が引かれることにより引き輪本体の開口が開かれる引き輪を有する装飾品用の操作具であって、所定方向に延び、使用者によって握られる本体であって前記摘み部に係合可能な係合部を有する本体と、前記係合部との間に前記摘み部および前記連結部が挿入可能な挿入空間を形成する、前記連結部を係止するための係止部を有し、この係止部が前記挿入空間を形成する位置から前記係合部に近づく方向に移動できるように前記本体に移動可能に支持される可動部材と、前記可動部材を移動させるための操作部であって前記本体の表面から突出する操作部と、を備える装飾品用操作具を提供する。
【発明の効果】
【０００９】
本発明によれば、可動部材の係合部または係止部が挿入空間を形成する位置に位置していれば、これと本体の係止部または係合部との間に引き輪の摘み部および連結部を挿入することができる。そして、その状態から操作部を操作して可動部材を移動させれば、係合部が係止部にまたは係止部が係合部に近づく方向に移動することにより、連結部が係止部に係止されつつ摘み部が係合部によって押し込まれて引き輪本体の開口が開かれるようになる。すなわち、本発明に係る操作具では、操作部を操作するだけで引き輪本体の開口を開くことができる。しかも、操作部は、使用者によって握られる本体の表面から突出しているので、使用者は、本体を握りながら親指や人差し指で操作部を操作することができる。このため、使用者は、あまり力をいれずに操作具を掴むことができ、比較的自由に手首を返すことができるようになる。従って、良好な使い勝手を得ることができる。
【発明を実施するための最良の形態】
【００１０】
以下、本発明を実施するための最良の形態について、図面を参照しながら詳細に説明する。【００１１】
図１〜図３に示すように、本発明の第１実施形態に係る装飾品用操作具１Ａは、例えば図７に示すような引き輪９を有する装飾品を身体に装着したり身体から取り外したりする際に使用するものであり、所定方向に延びる扁平な角柱状の棒状の本体２と、この本体２に移動可能に支持される可動部材３とを備えている。なお、本実施形態では、説明の便宜のために、本体２の長手方向のうち一方（図１では上側）を上方、他方（図１では下側）を下方といい、本体２の幅方向のうち一方（図１（ａ）では左側）を左方、他方（図１（ａ）では右側）を右方といい、本体２の厚み方向のうち一方（図１（ｂ）では右側）を前方、他方（図１（ｂ）では左側）を後方という。【００１２】
本体２は、例えば樹脂からなっていて、上端から中央付近までは一定の長方形の断面形状を有しているが、中央付近から下端にかけては長方形断面を保ったまま先窄まりとなっている。この本体２の長さは、人の手の幅よりも十分に大きく設定されていて、下端から所定の範囲の部分を使用者が握ることができるようになっている。【００１３】
本体２の上部の内部には、当該本体２の長手方向に延びて本体２の上端面２ｃに開口する収納空間２０が設けられている。この収納空間２０は、平面視において本体２の略中心に位置していて、縦長長方形状の４つの壁面（前壁面２０ａ、後壁面２０ｂ、および左右の側壁面）で囲繞されて構成されている。なお、本体２の上端面２ｃには、収納空間２０よりも前側部分が全幅に亘って所定深さ分切り欠かれていて、段差部２４が形成されている。【００１４】
さらに、前面２ａ、後面２ｂ、および左右の側面の４面で構成される本体２の表面のうちの後面２ｂには、収納空間２０と外部とを連通する背面視で縦長長方形状の開口２２が設けられている一方、前面２ａの上端部には、引き輪９の連結部９２（図７参照）を係止するための係止部２３が設けられている。【００１５】
係止部２３は、本体２の前面２ａの幅方向の中央から前方に張り出しながら段差部２４よりも上方に突出している。このため、係止部２３の上端部の段差部２４側に引き輪９の連結部９２が後方から係止可能となっている（図４参照）。また、係止部２３の上面は、平面視で略楕円状をなし、かつ、側面視で斜め後ろ下方に凸となる曲面に形成されている。そして、係止部２３の上面には、図３に示すように中央に前後方向に延びる支持溝２３ａが設けられている。【００１６】
支持溝２３ａの溝幅は、引き輪９の引き輪本体９１（図７参照）の厚みよりも僅かに大きく設定されており、例えば１．５〜２．５ｍｍである。このため、支持溝２３ａ内には引き輪本体９１が嵌り込み可能となっており、支持溝２３ａ内に引き輪本体９１が嵌め込まれると、引き輪本体９１が支持溝２３ａの底面上に載置されるようになる。また、支持溝２３ａの底面の曲率は、引き輪本体９１の外径と同程度に設定されていて、引き輪本体９１が当該底面に支持溝２３ａの全長に亘って接触するようになっている。【００１７】
可動部材３は、例えば硬質の樹脂からなり、本体２の収納空間２０内から上端面２ｃを超えて上方に延びる直方体状の軸部３０と、軸部３０の前面３０ａの上端部に突設された係合部３１と、軸部３０の後面３０ｂの下部に突設されて、本体２の開口２２を通じて本体２の後面２ｂから突出する操作部３２とを有している。また、収納空間２０内には、軸部３０を上方に付勢する圧縮コイルばね（付勢手段）４が配設されている。【００１８】
軸部３０は、その左右方向の幅が収納空間２０の幅よりも僅かに小さい程度に設定されていて、収納空間２０内に嵌め込まれている。これにより、可動部材３は、軸部３０が収納空間２０を構成する両側壁面にガイドされて本体２の長手方向に沿って上下方向に移動可能となっている。【００１９】
また、軸部３０の前後方向の奥行きは、収納空間２０の奥行きよりも１ｍｍ程度小さく設定されている。このため、軸部３０は、前後方向に遊嵌した状態で収納空間２０内に嵌め込まれており、後述するように操作部３２が前方に押されながら操作される際には、収納空間２０を構成する前壁面２０ａに押し当てられるようになる。これにより、収納空間２０を構成する後壁面２０ｂと軸部３０の後面３０ｂとの間に１ｍｍ程度の隙間２１が形成されて、軸部３０はその隙間２１分後傾可能となる（図４（ｂ）参照）。なお、図示は省略するが、後面３０ｂまたは後壁面２０ｂに第２の付勢手段（例えば板ばねやプランジャなど）を設けて、この第２の付勢手段によって軸部３０を前壁面２０ａに押し当てるようにしてもよい。【００２０】
操作部３２は、軸部３０が圧縮コイルばね４に付勢されることにより開口２１の周縁部の上側部分に当て止められていて、これにより可動部材３が初期位置に維持されている。この操作部３２は、可動部材３を移動させるためのものであり、使用者が圧縮コイルばね４の付勢力に抗して操作部３２を下方に操作すると、可動部材３が下方に移動し、その状態から使用者が操作部３２をフリーにすると、圧縮コイルばね４の付勢力によって可動部材３が上方に移動して操作部３２が再度開口２１の周縁部の上側部分に当て止められる。【００２１】
係合部３１は、引き輪９の摘み部９２（図７参照）に係合可能なものであり、側面視で軸部３０の前面３０ａ上に位置する２つの頂点とこれらの頂点よりも前側下方に位置する頂点とを有する三角形状となる鉤状をなしている。また、係合部３１は、係止部２３の斜め後ろ上方に位置しており、可動部材３が初期位置にあるときには、係止部２３との間に摘み部９２および連結部９１が挿入可能な挿入空間Ｓを形成する。なお、本実施形態では、挿入空間Ｓは、軸部３０の前面３０ａおよび段差部２４に面している。そして、可動部材３が下方に移動すると、係合部３１が係止部２３に近づき、可動部材３が上方に移動すると、係合部３１が係止部２３から遠ざかる。【００２２】
次に、図４を参照して、装飾品用操作具１Ａの使用方法を説明する。【００２３】
まず、片方の手で本体２の下端から所定の範囲の部分を握り、もう一方の手で引き輪本体９１を持って、図４（ａ）に示すように、挿入空間Ｓに摘み部９２および連結部９１を挿入するとともに引き輪本体９１を支持溝２３ａ内に嵌め込んで、引き輪９を操作具１Ａにセットする。【００２４】
次いで、図４（ｂ）に示すように、操作部３２を親指または人差し指で前方に押しながら下方に操作して可動部材３を下方に移動させる。そうすると、係合部３１が係止部２３に近づく方向に移動することにより、連結部９２が係止部２３に係止されつつ摘み部９５が係合部３１によって押し込まれて引き輪本体９１の開口９１ａが開かれるようになる。【００２５】
ここで、可動部材３が上下方向にのみ移動する場合は、係合部３１が引き輪本体９１に当接して摘み部９５を十分に押し込めないおそれがあるが、本実施形態では、可動部材３の後方に隙間２１が形成されていて軸部３０が後傾可能となっているので、可動部材３が移動する間に係合部３１が引き輪本体９１の輪郭に沿った軌跡を描くようになる。換言すれば、隙間２１によって引き輪本体９１の輪郭に沿った係合部３１の移動が許容されていて、これにより摘み部９５を必要量だけ確実に押し込むことができる。【００２６】
また、係合部３１が鉤状をなしているので、係合部３１が摘み部９５を押し込む間は係合部３１が摘み部９５から外れ難くなる。【００２７】
そして、板ダルマ９６を開口９１ａから引き輪本体９１に係合させた後は、使用者が操作部３２から指を離せば、圧縮コイルばね４の付勢力によって係合部３１が挿入空間Ｓを形成する位置に自動的に復帰するようになる。【００２８】
以上説明したように、本実施形態に係る装飾品用操作具１Ａでは、操作部３２を操作するだけで引き輪本体９１の開口９１ａを開くことができる。しかも、操作部３２は、使用者によって握られる本体２の後面２ｂから突出しているので、使用者は、本体２を握りながら親指や人差し指で操作部３２を操作することができる。このため、使用者は、あまり力をいれずに操作具１Ａを掴むことができ、比較的自由に手首を返すことができるようになる。従って、引き輪本体９１の開口９１ａに板ダルマ９６をうまく通すことができるようになり、良好な使い勝手を得ることができる。【００２９】
また、本実施形態では、収納空間２０内に軸部３０を嵌め込むだけの簡単な構造で可動部材３を本体２に移動可能に支持させることができる。【００３０】
なお、本実施形態では、開口２２が本体２の後面２ｂに設けられていて、操作部３２が後面２ｂから突出しているが、開口２２が本体２の前面２ａに設けられていて、操作部３２が前面２ａから突出していてもよい。【００３１】
また、本実施形態では、操作部３２が可動部材３に一体に設けられていたが、図５に示す変形例の装飾品用操作具１Ｂのように、可動部材３を操作するための操作部がレバー部材５で構成されていてもよい。【００３２】
この操作具１Ｂでは、本体２の前面２ａに開口２２が設けられていて、側面視で略ヘ字状のレバー部材５は、開口２２に挿通された状態で揺動軸５２によって本体２に揺動可能に取り付けられている。また、レバー部材５の後端部は、連結軸５１によって可動部材３にリンク結合されている。【００３３】
このようなレバー部材５で操作部が構成されていれば、レバー部材５の先端を押圧操作するだけでよくなるため、さらに使い勝手がよくなるとともに、モーメントの関係から可動部材３を移動させるのに要する操作力を小さくすることができる。【００３４】
なお、図５に示す変形例では、レバー部材５が本体２の前面２ａから突出しているが、開口２２を本体２の後面２ｂに設ければレバー部材５を本体２の後面２ｂから突出させることもできる。【００３５】
次に、図６を参照して、本発明の第２実施形態に係る装飾品用操作具１Ｃを説明する。なお、第２実施形態では、第１実施形態およびその変形例と同一の構成部分には同一符号を付して、その説明を省略する。【００３６】
この操作具１Ｃでは、図６（ａ）に示すように、本体２の上端面２ｃに段差部２４が形成されておらず、上端面２ｃの収納空間２０よりも後ろ側部分に、さらに上方に延在する直方体状の延在部２４が設けられているとともに、この延在部２４の前面の上端部に、係合部３１が設けられている。【００３７】
一方、可動部材３については、軸部３０の長さが第１実施形態よりも短く設定されていて、軸部３０の上端部が本体２の上端面２ｃから少しだけ飛び出すようになっている。また、軸部３０の上端部には、係止部２３が前方および上方に張り出すように設けられている。そして、軸部３０の下部に、開口２２を通じて本体２の後面２ｂから突出するレバー部材（操作部）５がリンク結合されている。【００３８】
第２実施形態では、後述するねじりばね７の付勢力によって可動部材３が下方に引っ張られながら係止部２３の平坦な下面が本体２の上端面２ｃに押し付けられることにより、収納空間２０を構成する前壁面２０ａと軸部３０の前面３０ａとの間に１ｍｍ程度の隙間２１が形成されていて、軸部３０はその隙間２１分前傾可能となっている（図６（ｂ）参照）。なお、第２実施形態においても、前面３０ａまたは前壁面２０ａに第２の付勢手段（例えば板ばねやプランジャなど）を設けて、収納空間２０を構成する後壁面２０ｂに軸部３０を押し当てるようにしてもよい。【００３９】
さらに、第２実施形態では、圧縮コイルばね４に代えてねじりばね（付勢手段）７が開口２２内に配設されている。このねじりばね７は、レバー部材５を介して可動部材３を下方に付勢するものであり、レバー部材５を揺動軸５２を支点として図６において時計回りに揺動する方向に付勢するように配設されている。このように可動部材３が下方に付勢されることにより、係止部２３が本体２の上端面２ｃに当て止められて、可動部材３が初期位置に維持される。可動部材３が初期位置にあるときには、係止部２３は、係合部３１との間に挿入空間Ｓを形成する。そして、可動部材３が上方に移動すると、係止部２３が係合部３１に近づき、可動部材３が下方に移動すると、係止部２３が係合部３１から遠ざかる。【００４０】
このような構成の操作具１Ｃを使用するには、操作具１Ｃに引き輪９をセットした状態で、図６（ｂ）に示すように、ねじりばね７の付勢力に抗してレバー部材５を親指または人差し指で押圧操作して可動部材３を上方に移動させる。そうすると、係止部２３が引き輪本体９１を持ち上げながら係合部３１に近づく方向に移動することにより、連結部９２が係止部２３に係止されつつ摘み部９５が係合部３１によって押し込まれて引き輪本体９１の開口９１ａが開かれるようになる。【００４１】
このとき、可動部材３の前方に隙間２１が形成されていて軸部３０が前傾可能となっているので、引き輪本体９１が前方に押し出されながら持ち上げられることにより、可動部材３から見れば第１実施形態と同様に係合部３１が引き輪本体９１の輪郭に沿った軌跡を描くようになる。【００４２】
板ダルマ９６を開口９１ａから引き輪本体９１に係合させた後は、使用者がレバー部材５から指を離せば、ねじりばね７の付勢力によって係止部２３が挿入空間Ｓを形成する位置に自動的に復帰するようになる。【００４３】
このような構成であっても、使用者は、本体２を握りながら親指や人差し指でレバー部材５を押圧操作することができるため、第１実施形態と同様に良好な使い勝手を得ることができる。【００４４】
なお、第２実施形態においても、図２と同様にレバー部材５を設ける代わりに操作部３２を可動部材３に一体に設けてもよいし、レバー部材５または操作部３２を本体２の前面２ａから突出させてもよい。【００４５】
第１および第２実施形態においては、引き輪本体９１の連結部９２に連結されるものは、チェーン９３以外の例えば紐などの他の鎖状部材であってもよい。【００４６】
さらに、第１および第２実施形態においては、可動部材３を上方または下方に付勢する付勢手段として、他方の実施形態で示したものや引っ張りばねなどを採用することも可能である。
【図面の簡単な説明】
【００４７】
【図１】本発明の第１実施形態に係る装飾品用操作具を示す図であり、（ａ）は背面図、（ｂ）は側面図である。
【図２】図１（ａ）のII−II線断面図である。
【図３】図１（ｂ）のIII−III線断面図である。
【図４】図２に対応する図であり、（ａ）は装飾用具に引き輪をセットした状態を示し、（ｂ）は可動部材を操作した状態を示す。
【図５】変形例の装飾品用操作具を示す側面断面図である。
【図６】本発明の第２実施形態に係る装飾品用操作具を示す側面断面図である。
【図７】装飾品の引き輪を示す斜視図である。
【符号の説明】
【００４８】
１Ａ〜１Ｃ  装飾品用操作具
２    本体
２ａ  前面（表面）
２ｂ  後面（表面）
２０  収納空間
２０ａ  前壁面
２０ｂ  後壁面
２１  隙間
２３  係止部
２３ａ  支持溝
３    可動部材
３１  係合部
３２  操作部
４    圧縮コイルばね（付勢手段）
５    レバー部材（操作部）
７    ねじりばね（付勢手段）
９    引き輪
９１  引き輪本体
９２  連結部
９３  チェーン（鎖状部材）
９４  開閉部材
９５  摘み部
【図１】
2008289845.tif 000003
【図２】
2008289845.tif 000004
【図３】
2008289845.tif 000005
【図４】
2008289845.tif 000006
【図５】
2008289845.tif 000007
【図６】
2008289845.tif 000008
【図７】
2008289845.tif 000009